(57)【特許請求の範囲】
【請求項１】
特定の地理的エリアにいる複数の携帯電話ユーザに警告メッセージを送信する際に、携帯電話ネットワークへの過負荷およびネットワークの遮断を防止し、かつそれをユーザの選択と無関係に携帯電話に対して行う方法であって、携帯電話ネットワークに接続された最適化メッセージ配信部（Ａ−ＳＭＳＣ）において実施される方法において、
ａ）メッセージの内容と、関連セルに代表されるメッセージの送付先とに関する情報を含む警告開始メッセージを受信するステップであって、この処理がＬＢＡＳサーバー（５０）からＡ−ＳＭＳＣ（３０）への要求として実施され、関連セルに関する情報がＬＢＡＳ  ＧＴ（４０）によって特定の地理的エリアの情報を対応するセルＩＤに変換することによって決定されるステップと、
ｂ）基地局システム（ＢＳＳ）レベルで現在のサービングセルと共に移動局ＩＳＤＮ（ＭＳＩＳＤＮ）の番号に関する更新情報を受信するステップであって、特定の要求地理的エリアにおいてセルＩＤに代表される関連セルに接続されている携帯電話のＭＳＩＳＤＮ番号に関する更新情報を有するＬＢＡＳデータベース（２５）の内容を検索することによって情報を獲得するステップと、
ｃ）受信情報を評価し、対応するＭＳＩＳＤＮ番号を有する関連携帯電話を警告メッセージの送付先として決定するステップと、
ｄ）ＭＳＣ／ＶＬＲレベルで決定された関連携帯電話に防止タグを付けるステップであって、該防止タグは、警告メッセージの送付先である対応するＭＳＩＳＤＮ番号を有する携帯電話については、これらが特定の地理的エリアからＭＳＣに呼を開始しようとしても認証されないこと、また前記決定された関連携帯電話に対する外部からの呼についても接続されないことを示すものであるステップと、
ｅ）特定の地理的エリアにあって対応するＭＳＩＳＤＮ番号を有する関連携帯電話にＡ−ＳＭＳＣからサービングＭＳＣを介して警告メッセージを送信するステップと、
ｆ）警告発布の終了後、前記関連携帯電話のタグを外すステップと、を有する方法。
【請求項２】
前記ステップｄ）がさらに、タグ付きの関連携帯電話を優先データベースに保存されているＭＳＩＳＤＮ番号と比較し、そのＭＳＩＳＤＮが優先データベースに保存されている携帯電話についてはタグを外すことにより、警告メッセージの送信中、特定の地理的エリアに出入りする通常の通信を妨害しないようにすることを特徴とする、請求項１に記載の方法。
【請求項３】
Ａ−ＳＭＳＣ（３０）が、
警告メッセージを送信するべき地理的エリアに関する情報を有するセルカバレッジ部（ＬＢＡＳ  ＧＴ）（４０）と、
現在のサービングセルとＭＳＩＳＤＮ番号の更新情報を有するロケーションベース警報システムデータベース（ＬＢＡＳデータベース）（２５）と、
一定の地理的位置にあって、移動局に対して移動性の管理を提供する基地送受信局（ＢＴＳ）群に代表されるセルを制御するサービングＭＳＣと、に接続されており、前記ステップｃ）で受信した情報の評価が、各関連ＭＳＩＳＤＮに関して現在のサービングセルのＩＤを受信するために関連ＭＳＩＳＤＮの呼出手続きを行うことと、返信されたセルＩＤが関連する地理的エリアをカバーするセルの範囲内にあるか否かを確認することから成ることを特徴とする、請求項１に記載の方法。
【請求項４】
本方法の管理制御を行うためのインターフェースに接続されているＬＢＡＳサービス（５０）にＬＢＡＳ  ＧＴ（４０）が接続されており、前記インターフェースを用いて警告メッセージの種類および該メッセージを送信する地理的エリアの選択を行うことを特徴とする、請求項３に記載の方法。
【請求項５】
前記ＬＢＡＳ  ＧＴ（４０）は、各セルがどのエリアをカバーしているかに関する情報を有するデータベースを読みとり、関連する地理的エリアにあるセルのみを選抜することにより、特定の地理的エリアの情報をセルＩＤに変換した後に、該情報をＡ−ＳＭＳＣ（３０）に送信することを特徴とする、請求項３に記載の方法。
【請求項６】
移動通信交換局（ＭＳＣ）と、加入者および使用機器に関する現在の詳細を保持するネットワーク内に存在する在圏加入者管理レジスタ（ＶＬＲ）との間のトラヒックを監視するプローブ（２０）から受信する情報によって、ＬＢＡＳデータベース（２５）が動的に更新されることを特徴とする、請求項３に記載の方法。
【請求項７】
前記セルＩＤの結果を、呼出ステップ３）の前にセルＩＤをランダム化するために使用される一次テーブルに保存することにより、同一のセルにかかる待機トラヒックの負荷を低減することを特徴とする、請求項３に記載の方法。
【請求項８】
前記Ａ−ＳＭＳＣ（３０）が、その接続セルを介してＭＳＩＳＤＮ番号に警告メッセージを送信してから、該セルから確認を受信するまでの経過時間を測定し、経過時間が一定の限度を上回った場合、前記ＭＤＣ（３０）が別のセルを介して次の警告メッセージを送信することにより現在のセルへの負担を低減することを特徴とする、請求項１に記載の方法。
【請求項９】
特定の地理的エリアにいる複数の携帯電話ユーザに警告メッセージを送信する際に携帯電話ネットワークへの過負荷およびネットワークの遮断を防止し、かつそれをユーザの選択と関係なく携帯電話に対して行うシステムであって、
該システムが、携帯電話ネットワークに接続されている最適化メッセージ配信部（Ａ−ＳＭＳＣ  （３０）の他に、
ａ）メッセージの内容、関連セル等のメッセージ送付先、およびこれを実施する場所に関する情報を含む警告開始メッセージを、地理的エリアおよび対応するセルＩＤに関する情報と共にセルカバレッジ部（ＬＢＡＳ  ＧＴ）（４０）を介して受信する手段と、
ｂ）移動局ＩＳＤＮ（ＭＳＩＳＤＮ）の番号の更新情報を、ロケーションベース警報システムデータベース（ＬＢＡＳデータベース）（２５）から、基地局システム（ＢＳＳ）レベルで現在のサービングセルと共に受信する手段と、
ｃ）受信情報を評価し、対応するＭＳＩＳＤＮ番号を有する警告メッセージの送付先である関連携帯電話の存在場所を判定する手段と、
ｄ）決定された関連携帯電話に対してＭＳＣ／ＶＬＲレベル防止タグを付ける手段であって、該タグは、警告メッセージの送付先である対応するＭＳＩＳＤＮ番号を有する携帯電話については、これらが特定の地理的エリアからＭＳＣに呼を開始しようとしても認証されないこと、また前記決定された関連携帯電話に対する外部からの呼についても接続されないことを示すものである手段と、
ｅ）特定の地理的エリアにあり対応するＭＳＩＳＤＮ番号を有する関連携帯電話に対し、Ａ−ＳＭＳＣからサービングＭＳＣを介して警告メッセージを送信する手段と、
ｆ）警告発布の終了後に前記関連携帯電話に付けたタグを外す手段と、を有することを特徴とするシステム。
【請求項１０】
前記ステップｄ）がさらに、タグ付きの関連携帯電話を優先データベースに保存されているＭＳＩＳＤＮ番号と比較し、そのＭＳＩＳＤＮが優先データベースに保存されている携帯電話についてはタグを外すことにより、警告メッセージの送信中に、特定の地理的エリアに出入りする通常の通信を阻害されないようにすることを特徴とする、請求項９に記載のシステム。
【請求項１１】
前記ＬＢＡＳ  ＧＴ（４０）は、システムの管理制御を行うためのインターフェースに接続されているＬＢＡＳサービス（５０）に接続されており、前記インターフェースが警告メッセージの種類とメッセージを送る地理的エリアを選択するために使用されることを特徴とする、請求項９に記載のシステム。
【請求項１２】
前記ＬＢＡＳ  ＧＴ（４０）が、特定の地理的エリアの情報をセルＩＤに変換する手段であって、各セルがどのエリアをカバーしているかに関する情報を有するデータベース（４５）を含む手段と、関連する地理的エリアに存在するセルのみを選択する選抜手段と、前記Ａ−ＳＭＳＣ（３０）に情報を提供する手段と、を含んで成ることを特徴とする、請求項９に記載のシステム。
【請求項１３】
前記ＬＢＡＳデータベース（２５）が、移動通信交換局（ＭＳＣ）と加入者および使用機器に関する現在の詳細を保持するネットワーク内に存在する在圏加入者管理レジスタ（ＶＬＲ）との間のトラヒックを監視するプローブ（２０）に接続されていることを特徴とする、請求項９に記載のシステム。
【請求項１４】
前記Ａ−ＳＭＳＣ（３０）が、セルＩＤを一時的に保存するデータベース（３５）と、該セルＩＤをランダム化する手段とを含んで成ることを特徴とする、請求項９に記載のシステム。
【請求項１５】
前記Ａ−ＳＭＳＣ（３０）が、警告メッセージをセルに送信してから該セルから確認を受信するまでの経過時間を測定する手段と、経過時間が一定の限度を超えているかを判定する手段と、警告メッセージを別のセルに送信することにより、現在のセルの負担を低減する手段と、を含んで成ることを特徴とする、請求項９に記載のシステム。
【発明の詳細な説明】
【技術分野】
【０００１】
本発明は、特定のエリアにいるユーザに対して警告メッセージを送るための住民警報システムに係る。具体的には、本発明は特定のエリア内に存在する携帯電話を効率的に探し出し、ネットワークに負荷をかけ過ぎることなく、またユーザの選択に関係なくメッセージを送信するための方法およびシステムに係る。
【背景技術】
【０００２】
現代人は数十年前に比べてより多くの脅威に晒されているものの、既存の効率的な警告方法と言えば、戦争を想定した爆撃やミサイル攻撃に対する警報を発する旧式の技術のものである。このような方法は、気候変動による予測不能の気象状況、人口密度の高いエリアにおける交通量の増加、居住エリアの近くに存在する工業地帯、インフラの崩壊、テロの脅威の増加などに関連する緊急事態に対して組織的な警報を発する際に使用できるとは考えられない。
【０００３】
従って、欧州や米国においては、人々に警告し保護するための新奇かつ効率的な方法に衆目が集まっているが、津波や地震などの自然の脅威に晒されることの多いアジア諸国においても、注目されるようになっている。様々な種類の自然および人為的危険を事前に検知・予知するシステムおよび方法（例えば、全地球的環境安全モニタリング（ＧＭＥＳ）プログラム）の開発に何十億ユーロという資金が費やされて来ている。予測監視システムの場合、危険に晒されている人々に警告することができるものでなければ、その価値はほとんど無いに等しい。従って、人々に警報を発するための新奇かつ効率的な方法こそ、今求められているものと言える。
【０００４】
完全な住民警報システムでは警告メッセージの配布に際して多くのチャネルを使用する必要があるが、中でも携帯電話利用者に対して警報を出せることが最も重要かつ必須である。
【０００５】
携帯電話利用者に対して確実かつ効率的に警報を発するという課題は、これまでも取り組みがなされてきたものの、過負荷と効率の点で十分に解決されるに至っていない。先行技術文献に記載の本発明と何らかの類似性をもつシステムでは、警告メッセージも他の通話と同じように携帯電話ネットワーク内の既存の環境と装置を通る必要があり、そのために多くの警告メッセージを同時配信する際にシステムを過負荷の危険に晒すおそれがある。
【０００６】
本出願人は、前述のような公知のシステムの持つ弱点を解決した先に提出した方法およびシステムを開発した。この方法およびシステムは、先に出願した特許出願第２００７６１２２号に記載のもので、「ロケーションベース警報サービス」（Ｌｏｃａｔｉｏｎ−Ｂａｓｅｄ  Ａｌｅｒｔ  Ｓｙｓｔｅｍ：ＬＢＡＳ）とも称される。
【０００７】
緊急事態の発生したエリアでは、携帯電話ネットワークに大きな負担がかかることがこれまでの経験から分かっている。同時に大量の警告メッセージを送ると、ネットワークが不安定になり、ネットワークが遅くなる可能性が高くなる。また、ネットワークの故障が生じる場合もある。
【０００８】
これは、特定のエリアにいる携帯電話利用者に対して、できるだけ速く効率的にできるだけ多くの警告メッセージを送信するというのが目的から言っても非常に不都合な事態である。
【発明の概要】
【発明が解決しようとする課題】
【０００９】
本発明は、前記のＬＢＡＳシステムをさらに発展させたもので、ネットワークに過負荷による故障を生じることなく、高速かつ効率的な警報を出すことを目的とする。
【課題を解決するための手段】
【００１０】
本発明は、特定の地理的エリアにいる複数の携帯電話ユーザに警告メッセージを送信する際に、携帯電話ネットワークへの過負荷およびネットワークの遮断を防止し、かつそれをユーザの選択と無関係に携帯電話に対して行う方法であって、携帯電話ネットワークに接続された最適化メッセージ配信部（Ａ−ＳＭＳＣ）において実施される方法である。本発明の方法は、
ａ）メッセージの内容と、関連セルに代表されるメッセージの送付先とに関する情報を含む警告開始メッセージを受信するステップであって、この処理がＬＢＡＳサーバーからＡ−ＳＭＳＣへの要求として実施され、関連セルに関する情報がＬＢＡＳ  ＧＴによって特定の地理的エリアの情報を対応するセルＩＤに変換することによって決定されるステップと、
ｂ）  基地局システム（ＢＳＳ）レベルで現在のサービングセルと共に移動局ＩＳＤＮ（ＭＳＩＳＤＮ）の番号に関する更新情報を受信するステップであって、特定の要求地理的エリアにおいてセルＩＤに代表される関連セルに接続されている携帯電話のＭＳＩＳＤＮ番号に関する更新情報を有するＬＢＡＳデータベースの内容を検索することによって情報を獲得するステップと、  
ｃ）受信情報を評価し、対応するＭＳＩＳＤＮ番号を有する関連携帯電話を警告メッセージの送付先として決定するステップと、
ｄ）ＭＳＣ／ＶＬＲレベルで決定された関連携帯電話に防止タグを付けるステップであって、該防止タグは、警告メッセージの送付先である対応するＭＳＩＳＤＮ番号を有する携帯電話については、これらが特定の地理的エリアからＭＳＣに呼を開始しようとしても認証されないこと、また前記決定された関連携帯電話に対する外部からの呼についても接続されないことを示すものであるステップと、
ｅ）特定の地理的エリアにあって対応するＭＳＩＳＤＮ番号を有する関連携帯電話にＡ−ＳＭＳＣからサービングＭＳＣを介して警告メッセージを送信するステップと、
ｆ）警告発布の終了後、前記関連携帯電話のタグを外すステップと、を含んで成る。
【００１１】
本発明はまた、上述の方法を実施するシステムによっても特徴づけられる。
【００１２】
本発明の方法およびシステムは、添付の特許請求の範囲により詳細に示される。
【発明の効果】
【００１３】
本発明では、ロケーションベース警報サービス（ＬＢＡＳ）を提供し、このサービスでは、ある地理的エリアの中で携帯電話利用者に確実かつ効率的に警報を発信することを可能にすると共に、警報を出すために使用する携帯電話ネットワークに対して過負荷や過負荷や通信の遮断を生じること無く警報を発信することができる。
【００１４】
また、本発明では、救急隊員その他の重要なリソースがネットワークに接続する際、警報発布の進行中でも特定のＭＳＩＳＤＮ番号を介して確実に携帯電話ネットワークにつながることができる。
【図面の簡単な説明】
【００１５】
【図１】携帯電話「Ａ」が携帯電話「Ｂ」を呼び出す際のシステムの全体構造を示している。
【図２】ＬＢＡＳの構造を従来のＳＭＳ配信の構造と比較して示している。
【図３】ＭＳＣからＶＬＲへのトラヒックを監視するプローブを示している。
【図４】ＳＣからＨＬＲへのトラヒックを監視するプローブを示している。
【図５】標準的なＳＭＳ送信手順を詳細に示している。
【図６】メッセージ配信部によるメッセージ配信の最適化された流れを示している。
【図７】防止タグを設定した場合に、ＭＳＣがどのようにして発信および送信を遮断するかを概略的に示している。
【図８】特定のＭＳＩＳＤＮ番号が遮断されるのを防止するために使用される構造を示している。
【発明を実施するための形態】
【００１６】
次に、添付図面を参照して、本発明をより詳細に説明する。
【００１７】
図１は、「Ａ」の印を付けた携帯電話が「Ｂ」の印を付けた別の携帯電話に電話をかける際に関係するシステムの全体構造を示している。この図はネットワークの複雑性を可視化したものであり、警告メッセージの配布用のチャネルとして携帯電話のインフラを使用する際には特別な配慮が何故必要となるかを示している。
【００１８】
２台の携帯電話の間で電話接続またはメッセージ配布が行われる前に、電話を受ける側の携帯電話の場所を特定するために、相当複雑で資源消費の大きい処理が必要となる。
【００１９】
「Ａ」が「Ｂ」に電話をかける場合には次のステップが実施される：
１．  「Ａ」が最寄りの関門移動通信交換局（ＧＭＳＣ）に接続され、ＧＭＳＣが「Ｂ」はどの「ホームロケーション・レジスタ」（ＨＬＲ）に所属するかを特定する。  
２．  ＨＬＲへ接続が行われ、「Ｂ」に関する基本的情報、特に「Ｂ」が最後に報告を行った交換機を特定する。
３．  特定された交換機への接続を行う。 
４．  「Ｂ」がまだ特定された交換機に接続されているかを確認するために在圏加入者管理レジスタ（ＶＬＲ）の検索を行い、まだ接続されている場合は、市外局番（ＬＡＣ）から「Ｂ」のより正確な位置を特定する。 
５．  呼出プロセス（後述）が開始される。「Ｂ」の存在するエリア内の全ての無線基地局制御装置（ＢＳＣ）に対し、該エリア内の全てのセルの中で「Ｂ」の携帯電話を呼び出すことを求める。 
６．  「Ｂ」が応答し（すなわちセル内で検出され）、しかも空いているチャネルがあれば、チャネルの割り当てが行われ、「Ｂ」はメッセージを受信できる状態となる。
【００２０】
ＧＭＳＣは、全ての携帯電話の通話が経由する交換局である。
【００２１】
ＨＬＲは携帯電話ネットワークの中にあるグローバルデータベースであって、加入者、使用機器、必要とされるサービス、ユーザの識別暗号コード、ユーザの「メインの」携帯電話、加入者が最後に使用していたことが分かっているネットワークなど、加入者に関する現在の詳細情報を保持する。
【００２２】
ＶＬＲはＨＬＲと同様のデータベースであるが、国内の位置データを保存するものである。
【００２３】
ＬＡＣは、現在の位置を示す市外局番である。
【００２４】
ＢＴＳ基地送受信局すなわち基地送受信局は携帯電話システムの要であり、固定個所に分散して存在する送受信用無線機器のネットワークである。
【００２５】
ＢＳＣはＢＴＳ群を制御し、移動局に対して移動性管理を行い、エアリンク・プロトコルの固定、およびモバイル交換局（ＭＳＣ）への接続のために使用される。１局以上のＢＴＳとそれに関連するＢＳＣとの複合集合体で基地局システム（ＢＳＳ）が構成される。
【００２６】
呼出は移動電話通信を可能にするための主要な要素の一つである。正しい位置特定と無線通信網のトラヒックの最適化の両面から、すなわち、実際に呼出している相手と動作の状態の両面から、呼出は重要なプロセスとなる。
【００２７】
音声電話を確立させたり、ＳＭＳを送れるようにするには、モバイル装置がどの無線セルに接続されているかを知る必要がある。ＶＬＲはモバイル装置が存在する場所についておおよその知識を有している。ＶＬＲにおいては、ローカルエリアのレベル（ＬＡＣ）でモバイル装置の位置特定が行われる。ローカルエリアは場所によって、またオペレータによって異なるが、ＬＡＣの中に何百ものセルが含まれることがある点では共通している。ＶＬＲでは受信側のモバイル装置がどのＬＡＣに存在しているか分かっているため、正確なセルを得るにはＬＡＣ内でモバイル装置を探索する必要がある。ここで呼出プロセスが開始されるのである。簡単に説明すると下記のように行われる。
【００２８】
●メッセージの配信に責任を負うサービングMSCによって呼出が行われる。 
●ＭＳＣがＬＡＣ内の全てのＢＴＳに対して呼出を行うように指令する。モバイルＩＤ（国際移動電話加入者識別番号（ＩＭＳＩ）は特定の電話会社および国に対して加入者を一意的に特定するために使用されるＧＳＭ用語である）が特定の呼出チャネルを介して無線送信される。 
●このＩＤを認識したモバイル装置はセルＩＤで呼出に応答する。 
●ＭＳＣにおいてセルＩＤが受信され、モバイル装置の位置が特定される。 
●これでＭＳＣはメッセージを送信できる状態となる。
【００２９】
図１から分かるように、呼またはメッセージのルーティングは２つのモバイル装置間の通信用に設計された複雑なプロセスである。メッセージを自動的に大量発信したり、ネットワークを不注意に使用したりすると、巨大な負荷がかかり、メッセージルーティングプロセスの中に負荷がかかり過ぎたり混雑した場所が生じる。ＨＬＲとＶＬＲの両方に思い負荷がかかった場合、携帯電話の「ネットワーク・サブシステム」の故障といった深刻な問題を引き起こす場合がある。大規模の呼出活動もまた不安定な信号伝達活動であり、「基地局サブシステム」の混雑や過負荷を生じるおそれがある。このような状況が動機となってＬＢＡＳが開発されたのである。
【００３０】
図２は、ＬＢＡＳの構造をＳＭＳの従来の配布の構造と比較して示した図である。この図では、ＬＢＡＳシステムによってルーティングプロセスの最適化と簡略化を行うことができ、それによって大量のメッセージを同時配信する際にネットワークの過負荷を防止することができる。ＬＢＡＳ特有の環境を破線の枠内に示した。
【００３１】
通常の呼／メッセージのルーティングとの違いは、ＬＢＡＳがメッセージの受け手に関して幅広い情報を持っている点にある。後述するＬＢＡＳデータベースが、現在のカバレッジセル、すなわち携帯電話事業者に属している、またはローミングしている各携帯電話の地理的位置を含んでいることに留意すると、ＨＬＲに接続して被呼者が最後に報告した交換機を見つける必要も、ＶＬＲに接続して被呼者のいるエリアを見つける必要はない。さらに、エリア内の何百とも知れない全てのセルに呼出をかける必要もない。警報を出すべき実際のエリアをカバーするセルに呼出を行うだけで良い。
【００３２】
１つの携帯電話「Ａ」から別の携帯電話「Ｂ」にメッセージを送る上述の点順は技術的に資源消費が大きく、この場合には不必要なものであるため、ＬＢＡＳでは警告メッセージの配布をＳＳ７携帯電話ネットワーク（ＳＳ７とは公衆交換電話網の呼を行うのに使用される電話通信信号プロトコルである）を通してより直接的かつ効率的に行うため、上述のような不安定な動作を回避することができる。
【００３３】
ＬＢＡＳは、図２に示すように、下記の主要部分に分けることができる。
【００３４】
１）実時間の国内ユーザ／位置データを実時間ＬＢＡＳ国内データベース２５に保存する。データベース２５は該ネットワークの国内の各携帯電話利用者および外来者（外国人旅行者）に関するエリアおよびセルカバレッジを内容としている。このデータベースがメッセージルーティング部（Ａ−ＳＭＳＣ）を最適化するための情報源となる。 
２）実時間のグローバルなユーザ／位置データをＬＢＡＳグローバルデータベース１５に保存する。データベース１５は、国内の携帯電話利用者が海外に出た場合の国および国の一部（従ってＭＳＣ）を内容とする。この機能はグローバルなカバレッジを有する。
３）最適化されたメッセージルーティング  （Ａ−ＳＭＳＣ  ３０による）によって、携帯電話ネットワークにおいて警報テキストメッセージをより効率的でネットワークに優しい方法でルーティングすることが可能になる。
【００３５】
プローブ１０，２０が、トラヒックの監視とＬＢＡＳデータベース１５，２５の監視を行うために、ＨＬＲおよびＶＬＲと対応するＭＳＣとの間に配置されている。前記Ａ−ＳＭＳＣ３０は、国内の位置データに関する情報を提供するＶＬＲからのデータを読み出して加工するだけで良い。グローバルな警報の場合、警告メッセージが未知のオペレータによって終了されるおそれがある。
【００３６】
プローブは、ネットワーク内の２つの要素間のトラヒックを、トラヒックに干渉することなく監視するように構成された要素である。この場合のトラヒックはＭＳＣと、前記ＨＬＲおよびＶＬＲデータベースとの間のトラヒックである。プローブは、トラヒックの監視用にネットワークに接続された信号伝達手段を有するコンピュータを備えている。関係データベース（ＬＢＡＳデータベース）に所在地のトラヒックを保存するＬＢＡＳソフトウェアはプローブソフトウェアの一部である。
【００３７】
ＬＢＡＳのウェブサービス５０，５５は警告アプリケーション／プロトコルとＬＢＡＳのコア環境との間のインターフェースとして作用する。さらに、ＬＢＡＳ  ＧＴによって位置特定プロセスが終了した後に下記の最適化作業を行うが、送信プロセスに先立ってＬＢＡＳ  Ａ−ＳＭＳＣによって下記が実行される。
【００３８】
●例えばあるインシデントが目下の関心事か、位置更新日が古すぎないか、など、位置の品質保証を行う。 
●特定されたＭＳＩＳＤＮ（ＬＢＡＳ−ＧＴから返信された）に関するテーブルを、無線インターフェース／セルの負荷を最も一定にするためにできるだけ最適なＡ−ＳＭＳＣ  への入力を達成するためのセルおよびセル容量に従って再編成する。 
●送信前に番号の照合が必要な登録または優先サ−ビスがある場合、データの洗浄を行う。
【００３９】
ＬＢＡＳサービスによる警報の認可を得た後、最初に行う作業が関連エリアをカバーするセルの位置特定である。この作業はＢＡＳ  ＧＴ（ジオ・ターゲティング・モジュール）４０によって行われる。ＬＢＡＳデータベースへの照会が、現在のエリアをカバーするセルと一致するインシデントを見つけるために行われる。その結果は、実際にはエリアをカバーするセルの１つからの最新の位置更新をした全てのＭＳＩＳＤＮを網羅するリストであるが、そのリストがＬＢＡＳサーバーに戻され、ＬＢＡＳサーバーはＬＢＡＳサーバー（ウェブサービス）に関して記載したタスクを実施する。
【００４０】
Ａ−ＳＭＳＣ３０はＬＢＡＳの主要要素であり、ショートメッセージ送信を最適化する。
【００４１】
図３はＭＳＣからＶＬＲへのトラヒックを監視することにより国内の位置データの保存を可能にするプローブを示している。このプローブはＳＳ７の要素であり、オペレータのネットワークサブシステムに設置されている。位置情報として特定されるトラヒックは、ネットワーク内にいる全ての加入者およびローミング中の外来者に関する実時間位置データを含むＬＢＡＳのナショナルデータベースに吸収されて更新される。国内の位置データを保存する方法は以下のとおりである。
【００４２】
プローブはＶＬＲによって受信されたトラヒックを監視している。ＶＬＲに送信される位置に関するトラヒックの更新情報は、識別された後ＬＢＡＳ国内データベースに保存される。識別されて位置データを含むＭＡＰ（Ｍｏｂｉｌｅ  Ａｐｐｌｉｃａｔｉｏｎ  Ｐａｒｔ）メッセージの中には、例えば、ＭＡＰ＿ＵＰＤＡＴＥ＿ＬＯＣＡＴＩＯＮ  ＡＲＥＡ（新ＬＡＣのレポーティングエントランス）とＭＡＰ＿ＰＲＯＣＥＳＳ＿ＡＣＣＥＳＳＪＲＥＱＵＥＳＴ＿ＡＣＫ（メッセージおよび電話の呼の送受信時に発生するモバイル装置の呼出応答）がある。これらのメッセージはＬＡＣとセルＩＤの両方を含んでいる。
【００４３】
ＬＢＡＳデータベースに挿入または更新された記録はＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）またはＭＳＩＳＤＮ、セルＩＤ、ＬａｃＩＤ、日時を含んでいる。
【００４４】
図４はＭＳＣからＨＬＲへのトラヒックを監視し、グローバルな位置データの保存を可能にするプローブを示している。プローブは、海外にいる全ての国内携帯電話利用者の実時間位置データの保存を可能にするネットワークサブシステムに設置されている。
【００４５】
グローバルな位置データの保存は下記のように行われる。
【００４６】
プローブはＨＬＲによって受信されるトラヒックを監視するだけで良い。モバイル装置が新たな国に到着した時、あるいは国内でも一定の距離に亘って移動した場合、そのモバイル装置は新たなＭＳＣのサービスエリアに入る。海外のサービングＭＳＣのＶＬＲから加入者のＨＬＲに対し、重要な顧客情報を求めてくる。また同時に、当該モバイル装置が現在どのＭＳＣからサービスを受けているかについての位置情報（ＭＡＰ＿ＵＰＤＡＴＥ＿ＬＯＣＡＴＩＯＮ）を本国のＨＬＲに送信する。次にこのメッセージの識別が行われ、ＬＢＡＳグローバルデータベースの更新が行われる。
【００４７】
監視されるデータには、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）、ＭＳＣ、国／国の地域、日時が含まれる。
【００４８】
グローバルな位置データは、精度においてＭＳＣレベルにとどまるため、国内の位置データほど正確ではない。
【００４９】
図５は標準的なＳＭＳ送信手続きを、メッセージ配信の最適化のために本発明では省略するステップと共に示している。
【００５０】
図５から明らかなように、メッセージまたは呼のルーティングは、脆弱な要素をいくつか含む複雑な手続きである。ＬＢＡＳは、どのセルに警告を発しようとしているか、またどの電話が異なるセルに接続されているか、の両方を認知しているため、資源消費の大きいルーティングと位置特定プロセスを回避するために全ての必要パラメータが揃っており、オペレータの「ネットワークサブシステム」への負荷を低減することができる。もう一つの特徴が、「基地局サブシステム」にかかる負荷である。どのセルがエリアを担当しているかが分かっているため、必要なのはこれらのセルにまだ接続しているモバイル装置に対して呼出手続きを行うことにより「基地局サブシステム」への負荷を低減することだけである。
【００５１】
●ステップ１〜３は、図１に関連して上に記載したルーティング段階である。これらのステップはＬＢＡＳで行われない。 
●ステップ４は、ゲートウエイＭＳＣからサービングＭＳＣへのＳＭＳの転送である。このステップは、サービングＭＳＣに直接接続されているＡ−ＳＭＳＣからメッセージが送られるため、ＬＢＡＳで遂行されない。 
●ステップ５は、加入者関連のデータを読み出すために行われる。このステップは実行してもしなくても良い。 
●ステップ６〜１０は呼出プロセスである。このプロセスは実行されるが、ＬＡＣ内の全てのセルではなく、警告エリア内の関係するセルのみに呼出を行うことで最適化することが推奨される。 
●ステップ１１〜１２は、サービングＭＳＣにＳＭＳと確認を送るステップである。
●ステップ１３〜１４  はゲートウエイＭＳＣに送信および転送されたメッセージの確認応答であり、このステップはＬＢＡＳにおいて実行されない。
【００５２】
図６は、特定の地理的エリアにいる複数の携帯電話ユーザに対して位置確認と警告を行うメッセージ配信の最適化されたワークフローを示している。このメッセージ配信は、ユーザの選択と無関係に関連する携帯電話に警告メッセージを送ることによって行われ、その方法はネットワークの過負荷および混雑を避けるように最適化されている。この方法はＬＢＡＳサーバー、ＬＢＡＳ  ＧＴ、ＬＮＡＳ  Ａ−ＳＭＳＣにおいて実施される。該方法は下記のステップを含む。
【００５３】
ａ）メッセージの内容と、関連セルに代表される送り先に関する情報を含む警告開始メッセージを受信する。 
ｂ）基地局システム（ＣＢＳＳ）レベルでの現在のサービングセルと移動局ＩＳＤＮ（ＭＳＩＳＤＮ）の番号に関する更新情報を受信する。 
ｃ）受信情報を評価し、警告メッセージの送信対象である対応するＭＳＩＳＤＮ番号を有する関連携帯電話を決定する。 
ｄ）送信前に位置データを最適化する（後述する）。 
ｅ）特定の地理的エリアにある関連携帯電話に対し、Ａ−ＳＭＳＣからサービングＭＳＣを介して警告メッセージを送る。
【００５４】
一実施形態では、Ａ−ＳＭＳＣがさらに、警告メッセージの送信対象である地理的エリアに関する情報を有するＬＢＡＳ  ＧＴに接続されている。ＬＢＡＳ  ＧＴはこの情報を、異なるセルに代表される特定の地理的エリアにおいて携帯電話への警報発布開始を要求するＬＢＡＳサービスからの要求として受信する。この要求は警告を発布するエリアの座標を内容とするポリゴンを含んでも良い。
【００５５】
ＬＢＡＳサービスは、方法の管理および制御のためのインターフェースに接続されており、このインターフェースは、メッセージの送り先である地理的エリアおよび警告メッセージの種類を選択するために使用される。
【００５６】
ＬＢＡＳ  ＧＴは、特定の地理的エリアを、対応するセルＩＤで該特定のエリア内部に存在するものに変換する。この処理は、データベース・セルリストとセルカバレッジ・データベースの内容を検索し、そうすることで各セルがカバーしている地理的エリアに関する情報を獲得し、関連する地理的エリアに存在するセルのみを選抜することによって実施される。
【００５７】
ＬＢＡＳ  ＧＴはさらに、ＭＳＩＳＤＮ番号の更新情報を有するロケーションベース警報システムデータベース（ＬＢＡＳデータベース）、ひいては携帯電話に、携帯電話が接続されている接続されているサービングセルのＩＤと共に接続されている。ＬＢＡＳデータベースは上述のプローブ（図３参照）を用いて更新されている。
【００５８】
ＬＢＡＳデータベースからの情報はＬＢＡＳ  ＧＴにより獲得され、上記のステップｂ）における入力データとなる。
【００５９】
上述のステップが終了すると、ＬＢＡＳ  ＧＴは警告メッセージの送付先となる地理的エリアを定義するセルＩＤ、および送付先となる地理的エリアにおいて接続されているセルＩＤと関連するＭＳＩＳＤＮ番号を受信している。
【００６０】
このＬＢＡＳ  ＧＴが生成したリストをＬＢＡＳサーバーに返信すると、ＬＢＡＳサーバーは上記ステップｄ）で述べた必要最適化処理を下記のように実施する。
【００６１】
●例えばあるインシデントが目下の関心事か、位置更新日が古すぎないか、など、位置の品質保証を行う。 
●特定されたＭＳＩＳＤＮ（ＬＢＡＳ−ＧＴから返信された）に関するテーブルを、無線インターフェース／セルの負荷を最も一定にするためにできるだけ最適なＡ−ＳＭＳＣへの入力を達成するためのセルおよびセル容量に従って再編成する。 
●送信前に番号の照合が必要な登録または優先サ−ビスがある場合、データの洗浄を行う。
【００６２】
Ａ−ＳＭＳＣはＬＢＡＳから連続してデータを受信し、ＭＳＩＳＤＮ番号毎に呼出手続きを行って、返信されたＩＤが、関連する地理的エリアをカバーするセルの範囲内にまだあるかどうかをチェックする。呼出手続き自体はサービングＭＳＣに含まれるモジュールにおいて実施されるが、それを開始するのはＡ−ＳＭＳＣである。これは上記の評価ステップｃ）に相当する。
【００６３】
Ａ−ＳＭＳＣはさらに、無線基地局制御装置（ＢＳＣ）に接続される。無線基地局制御装置（ＢＳＣ）は、一定の地理的位置にあって移動局の移動性管理を確実に行う基地送受信局（ＢＴＳ）群によって代表されるセルを制御する。
【００６４】
上述の呼出手続きが確認されると、特定の地理的エリア内にある関連する全ての携帯電話に対して、警告メッセージがＡ−ＳＭＳＣから前記サービングＭＳＣを介して送信される。
【００６５】
このプロセスにおいて、Ａ−ＳＭＳＣは警告メッセージが接続セルを介してＭＳＩＳＤＮ番号に送信されてから該セルからの確認を受信するまでの経過時間を測定する。経過時間が一定限度を超えている場合、Ａ−ＳＭＳＣは別のセルを介して警告メッセージを送ることによって、現在のセルにかかる負担を低減する。
【００６６】
上述の呼出手続きは、ＬＢＡＳ作業用データベースの全ての項目に対して、ランダム化された作業用ＬＢＡＳデータベースのファイルが終わるまで実施される。
【００６７】
本発明は、関連するＭＳＩＳＤＮ番号が通常ネットワークトラヒックに自動的に認証されるのを防止することによって、１つまたはそれ以上の関連セルにかかる負担を有効に低減するための方法とシステムも含んでいる。
【００６８】
図７は、防止タグを設定した場合、ＭＳＣがどのように出入する呼を遮断するかを概略的に示している。
【００６９】
前述のように、本発明はＬＢＡＳシステムをさらに改良したものであり、警告メッセージをローカライズして特定の地理的エリアにいる複数の携帯電話ユーザに送信する場合、携帯電話ネットワークの遮断または過負荷を回避する方法である。これはユーザの選択とは関係なく携帯電話に対して実施されるものであり、携帯電話ネットワークに接続された前記最適化メッセージ配信部（Ａ−ＳＭＳＣ）において行われる。この方法は下記のステップから成る。
【００７０】
ａ）メッセージの内容および関連セルを代表とする送付先に関する情報を含む警告開始メッセージを受信する。 
ｂ）基地局システム（ＢＳＳ）レベルでの現在のサービングセルと共に移動局ＩＳＤＮ（ＭＳＩＳＤＮ）番号の更新情報を受信する。 
ｃ）受信した情報を評価し、警告メッセージを送信する対応するＭＳＩＳＤＮ番号を有する関連携帯電話を決定する。 
ｄ）決定された関連携帯電話にＭＳＣ／ＶＬＲレベルで防止タグを付ける。この場合のタグは、警告メッセージを送信しようとする対応ＭＳＩＳＤＮ番号を有する携帯電話が特定の地理的エリアからＭＳＣに呼を開始しようとした時に認証されないこと、また決定された関連携帯電話への外部からの呼が接続されないことを示している。
ｅ）特定の地理的エリア内に存在する対応ＭＳＩＳＤＮ番号を有する関連携帯電話にＡ−ＳＭＳＣからサービングＭＳＣを介して警告メッセージを送信する。 
ｆ）警告の終了後に前記関連携帯電話に付けたタグを外す。
【００７１】
本発明は、上記の方法を実施するシステムも特徴とするものである。
【００７２】
本発明に寄与するのがステップｄ）とステップｆ）である。前述のように、警告メッセージを送信する際に使用する携帯電話ネットワークが過負荷となったり遮断されるのを防止することが目的である。この目的は、対応するＭＳＩＳＤＮ番号によって決定される関連携帯電話に防止タグを付けることによって可能となる。これはＭＳＣ／ＶＬＲレベルで実施される。その結果、ＭＳＣは接続されている携帯電話が特定の地理的エリアからＭＳＣに対して呼を開始しようとした時にこれらの番号が識別されるのを防止する。また、携帯電話の設定されたＭＳＩＳＤＮに入る呼は、防止タグが付されている限り接続されない。
【００７３】
これによって、警告メッセージを送信する際の携帯電話ネットワークのチャネルの使用が減少し、従って緊急事態に特定のエリアにおいて警告メッセージを送信する際の携帯電話ネットワークの信頼性が高くなる。
【００７４】
１個所またはそれ以上の特定の地理的エリアにおいて関連携帯電話に出入りする通常のトラヒックを全て遮断することは望ましくない場合がある。一定の緊急リソースその他の優先リソースについては、警告メッセージを送信する際に携帯電話ネットワークを使用できるようにするのが望ましい。
【００７５】
図８は、特定のＭＳＩＳＤＮ番号が遮断されるのを防止するために使用される構造を示している。防止タグによって遮断するべきでない番号のリストを含むシステムに優先データベースを備えることにより、遮断するべきでないと選択された番号は、警告メッセージ送信中であっても通信ネットワークの利用ができるようになる。
【００７６】
優先データベースはＬＢＡＳデータベースに接続されており、ＶＬＲにおいて関連番号に対して設定された防止タグにより遮断されている番号毎に優先データベースに保存されたＭＳＩＳＤＮ番号と比較し、警告メッセージを送信中でもこれらが特定の地理的エリアを出入りする通常の通信を行うのを妨げられないようにする。
【００７７】
本発明はまた、上述の方法を実施するためのシステムにも係る。本発明のシステムは、本発明の方法を実施できるという主要目標をもつ種々の要素から成る。主請求項ではシステムに含まれる各要素について、対応する従属請求項に記載のその他の実施と共に記載している。
【００７８】
ここに記載のＬＢＡＳの各要素と、それをさらに発展させたものは、既存のコア・インフラストラクチャと干渉することなく、携帯電話事業者の環境に容易に設置することができる。しかしながらＬＢＡＳの機能性を利用するには、誤用と個人データの保護の双方に関して安全性を保証する必要がある。ＰＡＳなど、いくつかの認定されたシステム／アプリケーションだけしかＬＢＡＳへの統合を認定されないことになろう。ユーザは例えばいずれの国の緊急機関であっても良い。
【００７９】
欧州は米国のような他の先進エリアと同様、モバイル関連のハイテクの主なターゲットとなって来た。しかしながら、モバイル技術の急速な進展に加えて、例えば南アジア諸国における自然と気象の脅威、またこれらの国々が観光地として人気が高いことから、ＬＢＡＳがその地域における住民と観光客の双方に警告を発し、保護する上で理想的なシステムとなっているのである。
【００８０】
当業者には自明の通り、このようなシステムを実施する方法は多く存在する。実際の発明は、独立請求項に記載されたとおりである。以上の記載から明らかとなる特定の実施態様については、本発明の実施の形態を例示したものにすぎない。
【図１】
0005513611.tif 000002
【図２】
0005513611.tif 000003
【図３】
0005513611.tif 000004
【図４】
0005513611.tif 000005
【図５】
0005513611.tif 000006
【図６】
0005513611.tif 000007
【図７】
0005513611.tif 000008
【図８】
0005513611.tif 000009